(57)【要約】【課題】  効率良くチャンネルサーチを行うことでサーチ時間の短縮が可能な放送信号受信装置および放送信号受信方法を提供すること。【解決手段】  チャンネルサーチが開始されると、まず位置検出部１３が現在位置を検出する。制御部１２のＣＰＵ１２１は、検出された現在位置が含まれる地域を決定し、決定した地域に対応するチャンネルテーブル２０を選択する。ＲＦ部１０は選択されたチャンネルテーブルに基づいてディジタルテレビジョン受信部１１に放送信号を出力する。ディジタルテレビジョン受信部１１は各チャンネルの放送信号に対して受信判断を行い、判断結果をＣＰＵ１２１に出力する。ＣＰＵ１２１は、サーチテーブル３０に基づいてＥＰＧを取得する。【選択図】      図１
2005086367.tif 000002
【特許請求の範囲】
【請求項１】
ディジタル放送信号を含む放送信号を受信して復調する放送信号受信装置であって、
全てのチャンネルから所定の条件を満たすチャンネルを選択し、受信した放送信号に対して、選択されたチャンネルの受信状態を判断することを特徴とする放送信号受信装置。
【請求項２】
ディジタル放送信号を含む放送信号を受信して復調する放送信号受信装置であって、
放送信号受信装置の現在位置を検出する位置検出部と、
複数の地域と、各地域内で受信可能なチャンネルとを関連づけて記憶する記憶部と、
各チャンネルの受信状態を判断する受信部と、
前記位置検出部で現在位置が検出されると、検出された現在位置が含まれる地域を選択し、前記受信部に対して、選択した地域内で受信可能なチャンネルの受信状態を判断させるように制御する制御部とを有することを特徴とする放送信号受信装置。
【請求項３】
前記位置検出部に対して検出の開始を指示する指示部を有することを特徴とする請求項２記載の放送信号受信装置。
【請求項４】
前記指示部は、ユーザの操作に基づいて指示することを特徴とする請求項３記載の放送信号受信装置。
【請求項５】
前記指示部は、放送信号の受信中に、予め定める数のチャンネルが受信不可能となったときに指示することを特徴とする請求項３記載の放送信号受信装置。
【請求項６】
前記受信部は、伝送路応答に基づいて受信状態を判断することを特徴とする請求項２〜５のいずれか１つに記載の放送信号受信装置。
【請求項７】
前記受信部は、受信可能なチャンネルの全てを連続で判断する第１のモードと、隣接するチャンネルのみを判断する第２のモードとで動作し、いずれのモードで動作するかを切り替え可能に構成されていることを特徴とする請求項２〜６のいずれか１つに記載の放送信号受信装置。
【請求項８】
ディジタル放送信号およびアナログ放送信号を含む放送信号を受信して復調する放送信号受信装置であって、
放送信号受信装置の現在位置を検出する位置検出部と、
複数の地域と、各地域内で受信可能なディジタル放送チャンネルおよびアナログ放送チャンネルとを関連づけて記憶する記憶部と、
各チャンネルの受信状態を判断する受信部と、
ディジタル放送チャンネルまたはアナログ放送チャンネルのいずれの受信状態を判断するかを設定する設定部と、
前記位置検出部で現在位置が検出されると、検出された現在位置が含まれる地域を選択し、前記受信部に対して、選択した地域内で受信可能なチャンネルのうち、前記設定部で設定されたチャンネルの受信状態を判断させるように制御する制御部とを有することを特徴とする放送信号受信装置。
【請求項９】
ディジタル放送信号を含む放送信号を受信して復調する放送信号受信方法であって、
放送信号受信装置の現在位置を検出する位置検出ステップと、
検出された現在位置が含まれる地域を選択する地域選択ステップと、
選択した地域内で受信可能なチャンネルの受信状態を判断する判断ステップとを有することを特徴とする放送信号受信方法。
【発明の詳細な説明】
【技術分野】
【０００１】
本発明は、ディジタル放送信号を含む放送信号を受信して復調する放送信号受信装置および放送信号受信方法に関する。
【背景技術】
【０００２】
各家庭などに送信されるテレビジョン放送は、将来的には衛星放送と地上波放送ともにアナログ放送からディジタル放送へ移行することが決定している。この移行時期では、アナログ放送とディジタル放送とが混在する。
【０００３】
アナログ放送およびディジタル放送の両用受信装置またはディジタル放送の受信装置では、最初にいわゆるチャンネルサーチが行われる。チャンネルサーチとは、放送信号の受信開始時に受信可能なチャンネルを検出する動作である。特にアナログ放送信号と、ディジタル放送信号とが混在する場合は、このチャンネルサーチに要する時間が非常に長時間になるという問題がある。
【０００４】
これに対し、従来ではサーチ時間の短縮およびサーチ精度の向上を目的とする以下の装置が開発されている。
【０００５】
たとえば、選局されたチャンネルがアナログかディジタルかを判断し、アナログと判断したときは、選局されたアナログのチャンネルで放送される番組と同一の番組をディジタルで放送するサイマルチャンネルの周波数設定を指示するＢＳディジタル放送受信装置（特許文献１参照）。
【０００６】
また、中間周波数信号の振幅および電圧を測定してその比を算出し、算出結果と所定値とを比較することで受信中の放送がアナログ放送であるかディジタル放送であるかを判別する放送方式判別装置（特許文献２参照）。
【０００７】
また、利得制御信号と、同期確立状態を示すロックデテクタ信号と、Ｓ／Ｎ比または訂正前誤り率と、内符号訂正後誤り率と、外符号訂正後誤り率とを、この順にそれぞれに対応した基準値と比較し、少なくとも２つが基準値を満足しなかった時点で、別のチャンネルを選局するデジタル放送受信装置（特許文献３参照）。
【０００８】
【特許文献１】特開２０００−１８８７４８号公報
【特許文献２】特開２００２−３２０２９０号公報
【特許文献３】特開２００２−９４４０２号公報
【発明の開示】
【発明が解決しようとする課題】
【０００９】
従来、上記のような放送信号の受信装置では、１つのチャンネルに対するサーチ時間を短縮することを目的としている。しかし、ディジタル放送のチャンネル数は、アナログ放送に比べて非常に多いので、全てのチャンネルについてサーチを行う限り、充分にサーチ時間を短縮することはできない。
【００１０】
本発明の目的は、効率良くチャンネルサーチを行うことでサーチ時間の短縮が可能な放送信号受信装置および放送信号受信方法を提供することである。
【課題を解決するための手段】
【００１１】
本発明は、ディジタル放送信号を含む放送信号を受信して復調する放送信号受信装置であって、
全てのチャンネルから所定の条件を満たすチャンネルを選択し、受信した放送信号に対して、選択されたチャンネルの受信状態を判断することを特徴とする放送信号受信装置である。
【００１２】
本発明に従えば、まず、全てのチャンネルから所定の条件を満たすチャンネルを選択し、受信した放送信号に対して、選択されたチャンネルの受信状態を判断する。チャンネルの受信状態を判断するいわゆるチャンネルサーチは、従来は存在する全てのチャンネルについて行っていたが、本発明では、サーチの対象を、所定の条件を満たすチャンネルに限定することによって、チャンネルサーチに要する時間を大幅に短縮することが可能である。
【００１３】
また本発明は、ディジタル放送信号を含む放送信号を受信して復調する放送信号受信装置であって、
放送信号受信装置の現在位置を検出する位置検出部と、
複数の地域と、各地域内で受信可能なチャンネルとを関連づけて記憶する記憶部と、
各チャンネルの受信状態を判断する受信部と、
前記位置検出部で現在位置が検出されると、検出された現在位置が含まれる地域を選択し、前記受信部に対して、選択した地域内で受信可能なチャンネルの受信状態を判断させるように制御する制御部とを有することを特徴とする放送信号受信装置である。
【００１４】
本発明に従えば、予め複数の地域と、各地域内で受信可能なチャンネルとを関連づけて記憶部に記憶しておき、位置検出部で現在位置が検出されると、制御部が、検出された現在位置が含まれる地域を選択する。制御部は、受信部に対して、選択した地域内で受信可能なチャンネルの受信状態を判断させるように制御する。
【００１５】
これにより、サーチの対象を、装置の現在位置で受信可能なチャンネルに限定することによって、チャンネルサーチに要する時間を大幅に短縮することが可能である。
【００１６】
また本発明は、前記位置検出部に対して検出の開始を指示する指示部を有することを特徴とする。
また本発明は、前記指示部は、ユーザの操作に基づいて指示することを特徴とする。
【００１７】
また本発明は、前記指示部は、放送信号の受信中に、予め定める数のチャンネルが受信不可能となったときに指示することを特徴とする。
【００１８】
本発明に従えば、指示部の指示によって位置検出部が検出を開始する。この指示は、ユーザの操作に基づいて行われる場合と、放送信号の受信中に、予め定める数のチャンネルが受信不可能となったときに行われる場合とがある。特に、予め定める数のチャンネルが受信不可能となったときとは、放送信号受信装置が存在する地域が変化したときである。したがって、地域が変わったときおよびユーザから指示されたときにのみチャンネルサーチが開始されることとなり、無駄なチャンネルサーチを防ぐことができる。
【００１９】
また本発明は、前記受信部は、伝送路応答に基づいて受信状態を判断することを特徴とする。
【００２０】
本発明に従えば、受信部は、伝送路応答に基づいて受信状態を判断する。たとえば、放送信号のフレーム同期を調べ、同期が確立しているときは、ディジタル放送信号を受信していると判断する。これにより、ディジタル放送の受信状態を精度よく判断することができる。
【００２１】
また本発明は、前記受信部は、受信可能なチャンネルの全てを連続で判断する第１モードと、隣接するチャンネルのみを判断する第２モードとで動作し、いずれのモードで動作するかを切り替え可能に構成されていることを特徴とする。
【００２２】
本発明に従えば、受信部による受信状態の判断には２つのモードがあり、これらを切り替えることができる。第１モードでは、受信可能なチャンネルの全てを連続で判断し、第２のモードでは隣接するチャンネルのみを判断する。このように２つのモードを切り替えることでユーザの好みに応じたチャンネルサーチを行うことができる。
【００２３】
また本発明は、ディジタル放送信号およびアナログ放送信号を含む放送信号を受信して復調する放送信号受信装置であって、
放送信号受信装置の現在位置を検出する位置検出部と、
複数の地域と、各地域内で受信可能なディジタル放送チャンネルおよびアナログ放送チャンネルとを関連づけて記憶する記憶部と、
各チャンネルの受信状態を判断する受信部と、
ディジタル放送チャンネルまたはアナログ放送チャンネルのいずれの受信状態を判断するかを設定する設定部と、
前記位置検出部で現在位置が検出されると、検出された現在位置が含まれる地域を選択し、前記受信部に対して、選択した地域内で受信可能なチャンネルのうち、前記設定部で設定されたチャンネルの受信状態を判断させるように制御する制御部とを有することを特徴とする放送信号受信装置である。
【００２４】
本発明に従えば、予め複数の地域と、各地域内で受信可能なチャンネルとを関連づけて記憶部に記憶しておき、位置検出部で現在位置が検出されると、制御部が、検出された現在位置が含まれる地域を選択する。設定部ではディジタル放送チャンネルまたはアナログ放送チャンネルのいずれの受信状態を判断するかが設定される。制御部は、受信部に対して、設定されたチャンネルの受信状態を判断させるように制御する。
【００２５】
これにより、ディジタル放送信号およびアナログ放送信号の混在する放送信号では、いずれかのチャンネルのみをチャンネルサーチするので、サーチに要する時間を短縮することができる。
【００２６】
また本発明は、ディジタル放送信号を含む放送信号を受信して復調する放送信号受信方法であって、
放送信号受信装置の現在位置を検出する位置検出ステップと、
検出された現在位置が含まれる地域を選択する地域選択ステップと、
選択した地域内で受信可能なチャンネルの受信状態を判断する判断ステップとを有することを特徴とする放送信号受信方法である。
【００２７】
本発明に従えば、まず、位置検出ステップで放送信号受信装置の現在位置を検出し、地域選択ステップで検出された現在位置が含まれる地域を選択する。判断ステップで、選択した地域内で受信可能なチャンネルの受信状態を判断する。
【００２８】
本発明に従えば、予め複数の地域と、各地域内で受信可能なチャンネルとを関連づけて記憶しておき、現在位置が検出されると、検出された現在位置が含まれる地域を選択する。選択した地域内で受信可能なチャンネルの受信状態を判断させる。
【００２９】
これにより、サーチの対象を、装置の現在位置で受信可能なチャンネルに限定することによって、チャンネルサーチに要する時間を大幅に短縮することが可能である。
【発明の効果】
【００３０】
以上のように本発明によれば、サーチの対象を、所定の条件を満たすチャンネルに限定することによって、チャンネルサーチに要する時間を大幅に短縮することが可能である。
【００３１】
また本発明によれば、サーチの対象を、装置の現在位置で受信可能なチャンネルに限定することによって、チャンネルサーチに要する時間を大幅に短縮することが可能である。
【００３２】
また本発明によれば、地域が変わったときおよびユーザから指示されたときにのみチャンネルサーチが開始されることとなり、無駄なチャンネルサーチを防ぐことができる。
【００３３】
また本発明によれば、ディジタル放送信号およびアナログ放送信号の混在する放送信号では、いずれかのチャンネルのみをチャンネルサーチするので、サーチに要する時間を短縮することができる。
【発明を実施するための最良の形態】
【００３４】
図１は、本発明の実施の一形態である放送信号受信装置（以下では単に「受信装置」と呼ぶ。）１の構成を示すブロック図である。受信装置１は、ＲＦ（Radio Frequency）部１０、ディジタルテレビジョン受信部１１、制御部１２、位置検出部１３、デコーダ部１４、入力部１５および記憶部１６を備える。
【００３５】
ＲＦ部１０は、いわゆるチューナであり、アンテナ１０ａまたは同軸ケーブルなどを介して受信した放送信号のうち、後述の制御部１２から入力されるチャンネル設定信号に基づいて、所定のチャンネルの放送信号をディジタルテレビジョン受信部１１に出力する。ディジタルテレビジョン受信部１１は、ＲＦ部１０から入力された各チャンネルの放送信号に対して、放送信号が正常に受信することができているかどうかの判断、および正常に受信した放送信号がアナログ放送信号かディジタル放送信号かの判断などの受信判断を行う。受信判断によって得られた受信判断結果情報は、受信判断結果信号として制御部１２に出力される。
【００３６】
制御部１２は、ＣＰＵ（中央演算処理装置）１２１を有する。ＣＰＵ１２１は、入力された各種信号に応じた信号処理を行うとともに、後述する記憶部１６に記憶されている制御プログラムに基づいて各部位に制御信号を出力することで、受信装置１全体の動作制御を行う。記憶部１６は、制御プログラム以外に、ＲＦ部１０に出力するチャンネル設定情報を記載したチャンネルテーブル２０および受信判断結果情報を記載したサーチテーブル３０を記憶する。受信判断結果情報およびチャンネル設定情報の詳細な説明については後述する。位置検出部１３は、人工衛星からの測位電波を受信して現在位置を検出するＧＰＳ（Global Positioning System）受信機、道路交通情報をユーザに報知するＶＩＣＳ（
Vehicle Information and Communication System）装置、移動距離を測定する車速パルス発生装置（車両の速度計に用いられているものを兼用）と曲がり方向を測定する振動ジャイロセンサと路面傾斜を測定する傾斜計とからなる自律航法センサ、携帯電話機およびＰＨＳ（Personal Handyphone System）などで実現され、受信装置１の現在位置を検出する。検出された現在位置情報は、現在位置信号として制御部１２に出力される。デコーダ部１４は、ディジタルテレビジョン受信部１１から入力された放送信号を復調して、液晶表示装置またはテレビジョン受像機などの外部表示装置に出力する。外部表示装置は、復調された放送信号に基づいて映像および音声を出力する。入力部１５は、複数のキーを備えるキーボードなどで実現され、ユーザが操作することでチャンネルサーチの開始指示など各種の指示を指示信号として出力する。
【００３７】
従来の受信装置が行うチャンネルサーチの場合、制御部は、アナログ放送およびディジタル放送を含む全てのチャンネルの放送信号を、チャンネルサーチの対象とするため、全チャンネルに関するチャンネル設定情報を記憶部に記憶しておき、チャンネル設定信号としてＲＦ部に出力する。ＲＦ部は、入力されたチャンネル設定情報に基づいて、受信した全チャンネルの放送信号を、ディジタルテレビジョン受信部に順次出力する。ディジタルテレビジョン受信部は、受信した放送信号に基づき全てのチャンネルについての受信判断を行っている。
【００３８】
しかしながら、ディジタル放送およびアナログ放送では、各都道府県または各地方に応じた番組を放送するために、受信装置が設置される地域によって、受信可能なチャンネルが予め決まっている。したがって、本実施形態では、受信装置１が設置される地域を検出し、検出された地域に応じて、受信可能なチャンネルのみをチャンネル設定情報に設定し、設定されたチャンネルの放送信号の受信判断を行うことで、チャンネルサーチの対象となるチャンネル数を限定し、チャンネルサーチに要する時間を大幅に短縮することを可能としている。
【００３９】
具体的には、予め地域ごとに受信可能なチャンネル設定情報を記載したチャンネルテーブル２０を記憶部１６に記憶しておき、位置検出部１３が検出した検出結果に基づいて、受信装置１が存在する地域を決定し、ＣＰＵ１２１が決定された地域に応じたチャンネルテーブル２０を選択する。ＣＰＵ１２１は、選択したチャンネルテーブル２０に記載されているチャンネル設定情報のみをＲＦ部１０に出力する。
【００４０】
図２は、地域ごとに設定されたチャンネルテーブル２０ａ，２０ｂの構成例を示す図である。チャンネルテーブル２０ａ，２０ｂは、所定の地域ごとに予め定められたチャンネル設定情報が記載されたテーブルである。ここで、地域とは、放送信号を発信する側の設備の設置位置、信号発信能力および設定などによって決定され、たとえば、第１地域、第２地域、…、第ｎ地域などが設定される。図２（ａ）は、第１地域に対するチャンネルテーブル２０ａであり、図２（ｂ）は、第２地域に対するチャンネルテーブル２０ｂである。チャンネルテーブル２０ａ，２０ｂ以外のチャンネルテーブルもこれら２つのチャンネルテーブルと同様の構成である。
【００４１】
チャンネルテーブル２０ａ，２０ｂには、地域名２１１，２２１、チャンネル番号２１２，２２２および周波数２１３，２２３が記載される。チャンネル番号２１２，２２２は、各チャンネルを識別するために付された番号であり、放送信号を発信している放送局を識別するためにも用いられる。たとえば、第１地域の場合、予め受信可能なチャンネルのチャンネル番号は、１，３，５，７，９，…，７１と決まっていて、チャンネル番号が２，４，６，８，…，７０などのチャンネルは受信しないので、チャンネルテーブル２１には、受信可能なチャンネルの情報のみが記載されている。
【００４２】
また、１つのチャンネルに対する放送信号は、映像を搬送する信号と音声を搬送する信号とからなる。したがって、周波数２１３，２２３には、映像用の周波数２１３ａ，２２３ａと音声用の周波数２１３ｂ，２２３ｂとが記載されている。たとえば、第１地域におけるチャンネル番号１のチャンネルの放送信号は、映像搬送用信号が９１．２５ＭＨｚで発信され、音声搬送用信号が９５．７５ＭＨｚで発信される。
【００４３】
チャンネルテーブルが設定される地域は、一つの県と同程度の広さを有するほど広範囲である。これに対して、位置検出部１３による検出精度は、数ｍ角程度と地域よりも相当狭い範囲である。したがって、受信装置１が存在する位置に応じてチャンネルテーブルを選択するためには、位置検出部１３が検出した位置が、予め設定されているいずれの地域に含まれるかを判断しなければならない。
【００４４】
ここで、位置検出部１３をＧＰＳ受信機によって実現した場合を考える。ＧＰＳの検出精度は数ｍ〜数十ｍ角であり、現在位置情報としては、緯度と経度とが出力される。したがって、たとえば、第１地域は、北緯３４度００分００秒〜北緯３４度１４分５９秒、かつ東経１３５度００分００秒〜東経１３５度１４分５９秒の範囲の範囲として設定し、第２地域は、北緯３４度００分００秒〜北緯３４度１４分５９秒の範囲、かつ東経１３５度１５分００秒〜東経１３５度２９分５９秒の範囲として設定するなど、位置検出部１３が出力する現在位置情報の出力形式に応じた範囲を、地域ごとに設定し、記憶部１６に記憶しておく。ＣＰＵ１２１は、位置検出部１３から入力された現在位置情報に基づいて、記憶部１６に記憶されている地域の範囲と比較し、受信装置１の現在位置がいずれの地域内にあるのかを決定し、決定した地域に応じたチャンネルテーブル２０を選択する。
【００４５】
位置検出部１３を携帯電話機またはＰＨＳなどの携帯端末機によって実現する場合、固定設備である無線基地局をＧＰＳ衛星に見立て、そこから発信される電波で携帯端末機の現在位置を検出する。具体的には、複数の無線基地局から発信される電波を携帯端末機で同時に受信し、それらの到達時間を基に各基地局と携帯端末機間の距離を測定し、得られた距離から三角測量の原理を用いて検出する。ＣＰＵ１２１は、こうして検出された受信装置１の現在位置と、記憶部１６に記憶されている地域の範囲と比較し、受信装置１の現在位置がいずれの地域内にあるのかを決定し、決定した地域に応じたチャンネルテーブル２０を選択する。
【００４６】
以上のように、ＣＰＵ１２１によって地域が決定され、チャンネルテーブル２０が選択されると、チャンネルテーブル２０に基づくチャンネル設定情報が、チャンネル設定信号としてＣＰＵ１２１からＲＦ部１０に出力される。ＲＦ部１０は、チャンネル設定情報に基づいて、地域に応じたチャンネルの放送信号をディジタルテレビジョン受信部１１に出力する。ディジタルテレビジョン受信部１１は、ＲＦ部１０から入力された放送信号に対して受信判断、すなわちチャンネルサーチを行う。受信判断の結果を示す受信判断結果情報は、受信判断結果信号としてディジタルテレビジョン受信部１１から制御部１２のＣＰＵ１２１に出力される。ＣＰＵ１２１は、受信判断結果情報を、サーチテーブル３０として記憶部１６に記憶させる。
【００４７】
図３は、サーチテーブル３０の構成例を示す図である。サーチテーブル３０には、地域名３０１、チャンネル番号３０２および判断結果３０３が記載される。地域名３０１およびチャンネル番号３０２は、チャンネルテーブル２０に記載されている項目と同じ項目である。判断結果３０３には、ディジタルテレビジョン受信部１１から入力された受信判断結果情報に基づいて記載される。受信判断結果情報によって、放送信号が受信可能であったチャンネルに対しては、チャンネル番号３０２に対応させて、受信可能であったことを示す文字列「ＯＫ」が判断結果３０３に記載される。また、放送信号が受信不可能であったチャンネルに対しては、チャンネル番号３０２に対応させて、受信不可能であったことを示す文字列「ＮＧ」が判断結果３０３に記載される。たとえば、図３では、チャンネル番号３０２が１であるチャンネルは、判断結果３０３に「ＯＫ」が記載されているので、その放送信号が受信可能であったことがわかる。チャンネル番号３０２が２６であるチャンネルは、判断結果３０３に「ＮＧ」が記載されているので、その放送信号が受信不可能であったことがわかる。
【００４８】
ディジタルテレビジョン受信部１１による放送信号が受信可能か不可能かの判断は、たとえば、受信した放送信号の電界強度が閾値を越えているか否かで判断することができる。しかし、ディジタル放送とアナログ放送とが混在している場合は、電界強度のみで判断することは困難である。したがって、本実施形態では、伝送路応答に基づいて受信判断を行う。具体的には、ディジタルテレビジョン受信部１１において、ディジタルテレビジョン受信部１１に備えられるｓｐフィルタの出口において、各チャンネルの放送信号のフレームロック状態を検出する。フレームの同期が確立している場合、いわゆるフレームロック状態であれば、ディジタルテレビジョン受信部１１は、そのチャンネルにおいて、ディジタル放送信号が受信可能であると判断する。反対に、フレームの同期が確立していない場合は、そのチャンネルにおいて、ディジタル放送信号が受信不可能であると判断する。
【００４９】
このようにして、ディジタルテレビジョン受信部１１は、ＲＦ部１０から入力された放送信号に対してチャンネルサーチを行うのであるが、チャンネルサーチを行うときのディジタルテレビジョン受信部１１の動作には２種類のモードがある。第１のモードは、チャンネルテーブル２０に記載されている全てのチャンネルについて連続でサーチする動作モードである。ＲＦ部１０から入力される全チャンネルの放送信号に対して、たとえば小さいチャンネル番号のチャンネルから昇順で連続して放送信号の受信判断を行う。図２に示したように、第１地域の場合、チャンネルテーブル２０に記載されているチャンネル番号は、１，３，５，７，９，…，７１であるので、この順で連続して放送信号の受信判断を行う。大きいチャンネル番号のチャンネルから降順で連続して受信判断を行ってもよい。
【００５０】
第２のモードは、現在、表示装置から映像および音声が出力されているチャンネルのチャンネル番号に隣接するチャンネル番号のチャンネル（隣接チャンネル）をサーチする動作モードである。入力部１５にアップキーおよびダウンキーなどのサーチキーを設け、いずれかのキーがユーザによって押されると、入力部１５からサーチキー入力信号が制御部１２のＣＰＵ１２１に対して出力される。サーチキー入力信号が入力されると、ＣＰＵ１２１からディジタルテレビジョン受信部１１に対して、隣接サーチ開始信号が出力される。隣接サーチ開始信号が入力されると、ディジタルテレビジョン受信部１１は、隣接チャンネルの放送信号の受信判断を行う。図２に示したように、第１地域の場合、チャンネルテーブル２０に記載されているチャンネル番号は、１，３，５，７，９，…，７１であるので、現在表示装置から映像および音声が出力されているチャンネルのチャンネル番号が５であるときに、アップキーが入力されると、隣接チャンネルであるチャンネル番号が３のチャンネルについて放送信号の受信判断を行う。
【００５１】
ディジタルテレビジョン受信部１１は、第１のモードのみで動作するように予め設定されてもよく、また第２のモードのみで動作するように設定されてもよく、さらには、ユーザがいずれのモードで動作するかを、切り換えることが可能なように構成されてもよい。
【００５２】
ユーザによる動作モードの切り換えは、次のようにして実現することができる。入力部１５にモード切換キーを設け、記憶部１６にディジタルテレビジョン受信部１１が現在いずれのモードで動作しているかを示す現在モード情報を記憶する。モード切換キーがユーザによって押されると、入力部１５からモード切換キー入力信号が制御部１２のＣＰＵ１２１に対して出力される。モード切換キー入力信号が入力されると、ＣＰＵ１２１は、記憶部１６の現在モード情報を書換え、ディジタルテレビジョン受信部１１に対して、モード指示信号を出力する。モード指示信号によって、「第１のモードで動作」または「第２のモードで動作」のいずれかの指示がディジタルテレビジョン受信部１１に与えられる。ディジタルテレビジョン受信部１１は、与えられた指示のモードに従ってチャンネルサーチ動作を行う。
【００５３】
いずれのモードで動作したとしても、チャンネルテーブル２０に基づいてサーチすることで、サーチ時間を短縮することができる。
【００５４】
ディジタルテレビジョン受信部１１が第１のモードで動作する場合は、サーチの対象となるチャンネルが、チャンネルテーブル２０によって予め限定されているので、チャンネルサーチに要する時間を短縮することができる。
【００５５】
また、ディジタルテレビジョン受信部１１が第２のモードで動作する場合は、サーチの対象となる隣接チャンネルが予め限定されているので、チャンネルサーチに要する時間を短縮することができる。
【００５６】
以上のようにしてチャンネルサーチが行われると、サーチテーブル２０に基づいて、受信可能であったチャンネルに対応するＥＰＧ（Electronic Program Guide）を、ブロードバンドレシーバなどの通信装置を利用してＥＰＧサービスサーバから取得する。
【００５７】
なお、デジタルテレビジョン放送では、放送波にのせてＥＰＧデータが提供されるので、そのＥＰＧを利用することも可能である。
【００５８】
受信装置１がチャンネルサーチを開始するタイミングについては、ユーザの指示が入力された時点で開始する場合と、所定の条件が満たされた時点で自動に開始する場合のいずれに設定されてもよい。ユーザの指示が入力された時点で開始する場合は、入力部１５にサーチ開始キーを設け、サーチ開始キーがユーザによって押されると、入力部１５からサーチキー入力信号が制御部１２のＣＰＵ１２１に対して出力される。サーチキー入力信号が入力されると、ＣＰＵ１２１は、チャンネルサーチを開始するために、位置検出部１３に対して現在位置の取得を指示する。
【００５９】
本実施形態は、特に自動車などの移動体に設置された受信装置１に適している。受信装置１が、移動体とともに、異なる地域に移動すると、移動前の位置では受信できていたチャンネルの放送信号が受信できなくなる場合がある。このため、所定の条件が満たされた時点で自動に開始する場合、予め監視の対象となる１または複数のチャンネルを決めておき、対象となるチャンネルの放送信号について所定の時間間隔で受信判断を行う。対象となるチャンネルの放送信号が一定時間受信できない状態が継続したときは、受信装置１の現在位置が異なる地域に移動したと判断し、新たな地域に対するチャンネルサーチを行う。この場合の指示部は、ディジタルテレビジョン受信部１１および制御部１２で構成される。
【００６０】
図４は、チャンネルサーチ時に制御部１２が実行する処理を示すフローチャートである。
【００６１】
本処理は、ユーザの指示または所定の条件を満たすことで開始される。ステップＳ１では、位置検出部１３から現在位置情報が入力される。ステップＳ２では、入力された現在位置情報と、記憶部１６に記憶されている地域の範囲とを比較し、現在位置が含まれる地域を決定する。ステップＳ３では、記憶部１６に記憶されているチャンネルテーブル２０から決定した地域に対応するチャンネルテーブル２０を選択する。ステップＳ４では、選択したチャンネルテーブル２０に基づいてチャンネル設定情報をＲＦ部１０に出力することでＲＦ部１０を制御し、所望のチャンネルの放送信号を選局するようにする。ステップＳ５では、ＲＦ部１０によって選局されたチャンネルの放送信号について、ディジタルテレビジョン受信部１１から出力された受信判断結果情報に基づいてサーチテーブル３０を作成し、記憶部１６に記憶する。ステップＳ６では、サーチテーブル３０に基づいて、ディジタル放送の各チャンネルの受信状態を決定し、ＥＰＧサービスサーバからＥＰＧを取得する。
【００６２】
この処理により受信可能な放送局のチャンネルとディジタル放送のＥＰＧとが取得できるので、チャンネルサーチ後の選局動作を迅速に、また便利に行えるようになる。
【００６３】
なお、チャンネルテーブル２０に、チャンネルごとにアナログ放送のチャンネルであるかディジタル放送のチャンネルであるかを記載しておき、チャンネルサーチを行うときに、チャンネルテーブル２０に基づいて、アナログ放送のチャンネルのみか、またはディジタル放送のチャンネルのみのチャンネルサーチを行うようにしてもよい。これにより、サーチ時間をさらに短縮することができる。
【００６４】
また、ＧＰＳ受信機または自律航法センサもしくはＧＰＳ受信機と自律航法センサとの組み合わせにより車両の現在位置を検出するとともに、現在位置を地図上に表示することで目的地までの経路案内を行うカーナビゲーション装置によって、位置検出部１３を実現する場合は、受信装置１とカーナビゲーション装置とをＬＡＮ（Local Area Network）を介して接続し、カーナビゲーション装置から制御部１２のＣＰＵ１２１に対して現在位置情報を入力するようにしてもよい。
【図面の簡単な説明】
【００６５】
【図１】本発明の実施の一形態である放送信号受信装置１の構成を示すブロック図である。
【図２】地域ごとに設定されたチャンネルテーブル２０ａ，２０ｂの構成例を示す図である。
【図３】サーチテーブル３０の構成例を示す図である。
【図４】チャンネルサーチ時に制御部１２が実行する処理を示すフローチャートである。
【符号の説明】
【００６６】
１  放送信号受信装置
１０  ＲＦ部
１０ａ  アンテナ
１１  ディジタルテレビジョン受信部
１２  制御部
１３  位置検出部
１４  デコーダ部
１５  入力部
１６  記憶部
２０，２０ａ，２０ｂ  チャンネルテーブル
３０  サーチテーブル
１２１  ＣＰＵ（中央演算処理装置）
【図１】
2005086367.tif 000003
【図２】
2005086367.tif 000004
【図３】
2005086367.tif 000005
【図４】
2005086367.tif 000006